(57)【要約】【課題】反射面が単純な構成からなり、光源の点灯時には前記反射面で反射された反射光による虚像が形成されて光源と共に視認され、光源の非点灯時には該光源自体が多方向から見えることがないような灯具ユニットを提供することにある。【解決手段】灯具ユニット１は、出射光が光軸Ｘに対して所定の立体角で広がりを有する光源２と、光源２からの出射光の指向特性を制御するインナーレンズ１０と、光源２の光軸Ｘに対して略垂直方向に延在する、鏡面反射面からなる光反射面２１を有するリフレクタ２０と、光源２、インナーレンズ１０及びリフレクタ２０の前方に、該光源２、インナーレンズ１０及びリフレクタ２０を覆うように配設されたアウターレンズ３０を備えている。【選択図】図２
2015153613.tif 000002
【特許請求の範囲】
【請求項１】
光軸方向を一にする複数の光源と、
前記複数の光源に囲まれるように該光源の光軸方向に略垂直方向に延在する光反射面と、
前記複数の光源と前記光反射面の前方に該複数の光源及び光反射面を覆うように配設されたアウターレンズとを備え、
前記複数の光源の夫々から前記アウターレンズに向けて出射した光の一部は、該アウターレンズを透過して外部に出射して前記光源の実像を形成し、
前記複数の光源の夫々から前記アウターレンズに向けて出射した光の一部は、該アウターレンズで内部反射した後に前記光反射面で反射されて、その反射光が前記アウターレンズを透過して外部に出射して前記光源の虚像を形成することを特徴とする灯具ユニット。
【請求項２】
前記光反射面は前記灯具ユニットの中心軸上に頂点を有すると共に前方方向に立ち上がる多角錐形状を呈し、
前記複数の光源の夫々は前記多角錐形状の光反射面の各底辺近傍に位置し、
前記複数の光源の夫々から前記アウターレンズに向けて出射した光の一部は、前記アウターレンズを透過して外部に出射し、
前記複数の光源の夫々から前記アウターレンズに向けて出射した光の一部は、前記アウターレンズで内部反射した後に前記多角錐形状の光反射面の前記光源に近接する側面反射面で反射されて、前記光源が前記側面反射面で切り取られた形状の反射光が前記アウターレンズを透過して外部に出射することを特徴とする請求１に記載の灯具ユニット。
【請求項３】
前記アウターレンズは前方方向に凸状の湾曲形状を有しており、前記複数の光源の夫々から該光源の光軸上に出射した光が前記アウターレンズの内面に到達した到達点における、該到達点を通って前記灯具ユニットの中心軸の方向に向かう前記湾曲形状の接線と、前記アウターレンズの内面で反射されて夫々の光源に近接する側面反射面に達した到達点における、該到達点を通って該側面反射面上を前記光源方向あるいは前記頂点方向に向かう直線とのなす角度が、０°以上で且つ１５°未満であることを特徴とする請求項２に記載の灯具ユニット。
【請求項４】
前記アウターレンズは、該アウターレンズの内面で反射されて前記側面反射面で反射された反射光が前記灯具ユニットの中心軸に沿って外部に出射するように、前記複数の光源の夫々から該光源の光軸上に出射した光が到達した内面の到達点近傍の曲率半径が適宜の半径に設定されていることを特徴とする請求項２又は請求項３に記載の灯具ユニット。
【請求項５】
前記アウターレンズは、前記複数の光源の夫々から該光源の光軸上に出射した光が到達した内面の到達点を含む少なくとも近傍に、前記到達した光を透過及び反射する透過反射部材が設けられていることを特徴とする請求項１〜請求項４のいずれかに記載の灯具ユニット。
【発明の詳細な説明】
【技術分野】
【０００１】
本発明は、灯具ユニットに関するものであり、詳しくは、光源の実像と反射光による光源の虚像を同一方向から同時に視認することができる灯具ユニットに関する。
【背景技術】
【０００２】
従来、この種の灯具ユニットとしては、例えば、特許文献１の「車両用灯具」において三角形発光ユニットとして開示されたものがある。
【０００３】
具体的には、三角形発光ユニット８０は図１０にあるように、光源のＬＥＤランプ８１が取付けられた正三角形の光源取付面８２が、光源取付面８２の夫々の辺を上底とすると共に、光源取付面８２とのなす角度を直角以上とする３面の台形状の反射面８３で囲まれてなる構成とされ、ＬＥＤランプ８１が点灯すると、ＬＥＤランプ８１及び光源取付面８２が３面の反射面８３に映り込むと共に、互いが他の反射面８３に映り込んだＬＥＤランプ８１及び光源取付面８２を映し込むことにより、光源取付面８２の奥に２０面体状の写像ＩＧが得られるというものである。
【先行技術文献】
【特許文献】
【０００４】
【特許文献１】特開２０００−３３１５０９号公報
【発明の概要】
【発明が解決しようとする課題】
【０００５】
ところで、上記構成の三角形発光ユニット８０は、正面前方方向から観視したときに、光源取付面８２と各反射面８３とのなす角度が大きくなるにつれて夫々の反射面８３で反射したＬＥＤランプ８１が見えなくなり、光源取付面８２と各反射面８３とのなす角度が１８０°までなると夫々の反射面８３による反射がなくなる。
【０００６】
また、各反射面８３を、光源取付面８２の周囲を取り囲んで配置する必要があるため、夫々の反射面８３の形状が複雑にならざるを得ない。
【０００７】
さらに、ＬＥＤランプ８１の非点灯時には、点灯時と同様に三角形発光ユニット８０を正面前方方向から観視したときに、ＬＥＤランプ８１が各反射面８３で反射されて非点灯のＬＥＤランプ８１自体が見えてしまい、三角形発光ユニット８０の、ＬＥＤランプ８１の非点灯時の見栄えを損なうものとなる。この原因は、ＬＥＤランプ８１を直接高反射率の反射面によって反射させる構成によるものである。
【０００８】
そこで、本発明は上記問題に鑑みて創案されたものであり、その目的とするところは、反射面が単純な構成からなり、光源の点灯時には前記反射面で反射された反射光による虚像が形成されて光源と共に視認され、光源の非点灯時には該光源自体が多方向から見えることがないような灯具ユニットを提供することにある。
【課題を解決するための手段】
【０００９】
上記課題を解決するために、本発明の請求項１に記載された発明は、光軸方向を一にする複数の光源と、前記複数の光源に囲まれるように該光源の光軸方向に略垂直方向に延在する光反射面と、前記複数の光源と前記光反射面の前方に該複数の光源及び光反射面を覆うように配設されたアウターレンズとを備え、前記複数の光源の夫々から前記アウターレンズに向けて出射した光の一部は、該アウターレンズを透過して外部に出射して前記光源の実像を形成し、前記複数の光源の夫々から前記アウターレンズに向けて出射した光の一部は、該アウターレンズで内部反射した後に前記光反射面で反射されて、その反射光が前記アウターレンズを透過して外部に出射して前記光源の虚像を形成することを特徴とするものである。
【００１０】
また、本発明の請求項２に記載された発明は、請求項１において、前記光反射面は前記灯具ユニットの中心軸上に頂点を有すると共に前方方向に立ち上がる多角錐形状を呈し、  前記複数の光源の夫々は前記多角錐形状の光反射面の各底辺近傍に位置し、前記複数の光源の夫々から前記アウターレンズに向けて出射した光の一部は、前記アウターレンズを透過して外部に出射し、前記複数の光源の夫々から前記アウターレンズに向けて出射した光の一部は、前記アウターレンズで内部反射した後に前記多角錐形状の光反射面の前記光源に近接する側面反射面で反射されて、前記光源が前記側面反射面で切り取られた形状の反射光が前記アウターレンズを透過して外部に出射することを特徴とするものである。
【００１１】
また、本発明の請求項３に記載された発明は、請求項２において、前記アウターレンズは前方方向に凸状の湾曲形状を有しており、前記複数の光源の夫々から該光源の光軸上に出射した光が前記アウターレンズの内面に到達した到達点における、該到達点を通って前記灯具ユニットの中心軸の方向に向かう前記湾曲形状の接線と、前記アウターレンズの内面で反射されて夫々の光源に近接する側面反射面に達した到達点における、該到達点を通って該側面反射面上を前記光源方向あるいは前記頂点方向に向かう直線とのなす角度が、０°以上で且つ１５°未満であることを特徴とするものである。
【００１２】
また、本発明の請求項４に記載された発明は、請求項２又は請求項３において、前記アウターレンズは、該アウターレンズの内面で反射されて前記側面反射面で反射された反射光が前記灯具ユニットの中心軸に沿って外部に出射するように、前記複数の光源の夫々から該光源の光軸上に出射した光が到達した内面の到達点近傍の曲率半径が適宜の半径に設定されていることを特徴とするものである。
【００１３】
また、本発明の請求項５に記載された発明は、請求項１〜請求項４のいずれかにおいて、前記アウターレンズは、前記複数の光源の夫々から該光源の光軸上に出射した光が到達した内面の到達点を含む少なくとも近傍に、前記到達した光を透過及び反射する透過反射部材が設けられていることを特徴とするものである。
【発明の効果】
【００１４】
本発明の灯具ユニットは、光源と、光源の光軸Ｘに対して略垂直方向に延在する光反射面を有するリフレクタと、光源及びリフレクタの反射面の前方に該光源及びリフレクタを覆うように配設されたアウターレンズを備えている。そして、光源から出射してアウターレンズを透過した光と、光源から出射してアウターレンズの内面で反射してリフレクタの光反射面で反射されてアウターレンズを透過した光の、互いに異なる２つの光路を経た光が外部に出射されることにより、光源の実像と虚像が形成される。
【００１５】
これにより、反射面が単純な構成からなり、光源の点灯時には前記反射面で反射された反射光による虚像が形成されて光源と共に視認されることで照明機能と光演出機能を発揮し、光源の非点灯時には該光源自体が多方向から見えることがないために良好な見栄えを確保することができる灯具ユニットが実現する。
【図面の簡単な説明】
【００１６】
【図１】実施形態の灯具ユニットの正面図である。
【図２】図１のＡ−Ａ断面図である。
【図３】光源からの出射光の光路説明図である。
【図４】小反射面とアウターレンズの関係を示す説明図である。
【図５】小反射面とアウターレンズの関係を示す説明図である。
【図６】光源からの出射光の光路説明図である。
【図７】光源点灯時の灯具ユニットの正面図である。
【図８】アウターレンズ内面の曲率半径の説明図である。
【図９】過反射部材を配設した灯具ユニットの説明図である。
【図１０】従来例の説明図である。
【発明を実施するための形態】
【００１７】
以下、この発明の好適な実施形態を図１〜図９を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１８】
図１は実施形態の灯具ユニットの正面図、図２は図１のＡ−Ａ断面図である。
【００１９】
灯具ユニット１は、出射光が光軸Ｘに対して所定の立体角で広がりを有する光源２と、光源２からの出射光の指向特性を制御するインナーレンズ１０と、光源２の光軸Ｘに対して略垂直方向に延在する、鏡面反射面からなる光反射面２１を有するリフレクタ２０と、光源２、インナーレンズ１０及びリフレクタ２０の光反射面２１の前方（後述する、灯具ユニットの出射光の出射方向と同一方向）に、該光源２、インナーレンズ１０及びリフレクタ２０の光反射面２１を覆うように配設されたアウターレンズ３０を備えている。
【００２０】
光源２は複数からなり、例えばＬＥＤのような、電球や放電ランプ等に比べて出射光の指向性が狭い光源が用いられ、灯具ユニット１の、光源２の光軸Ｘに沿う中心軸Ｃを中心とする同心円上の互いに等角度間隔に離間した位置に配設されている。
【００２１】
インナーレンズ１０は透光性材料、具体的には、例えばポリカーボネート樹脂等の透光性樹脂で形成され、平板状に形成された基板部１１に対して光源２が配設された位置に対応する直前位置に、光源２側から前方に向けてカップ状に突出した突出部１３及び光源２側から前方に向けて凹んだ凹部１４を有するレンズ部１２を備えており、レンズ部１２の突出部１３の外前面１３ａ及び凹部１４の内底面１４ａの夫々には適宜なレンズカットを施したレンズ面が形成されている。
【００２２】
インナーレンズ１０は光源２の前方に位置し、夫々のレンズ部１２は凹部１４を各光源２側に向けた状態で光源２の直前の位置に位置している。
【００２３】
リフレクタ２０はインナーレンズ１０の前方に位置し、インナーレンズ１０と反対側の面（アウターレンズ３０側の面）を鏡面反射面からなる光反射面２１とすると共に、後方に位置するインナーレンズ１０のレンズ部１２の突出部１３の位置に対応する位置に突出部挿通孔２２が設けられて該突出部挿通孔２２に突出部１３が挿通されている。
【００２４】
リフレクタ２０の光反射面２１は連続する複数の平面状の小反射面で構成され、そのうち灯具ユニット１の光学系の形成に寄与する複数の小反射面２１ａは、灯具ユニット１の中心軸Ｃを中心とする同心円上に位置する複数の光源２よりも内側（中心軸Ｃ側）に位置している。
【００２５】
光反射面２１の、光源２の内側に位置する部分は、灯具ユニット１の中心軸Ｃ上に頂点Ｐを有して前方方向に立ち上がる多角錐（本実施形態は典型例であり正六角錐）形状を呈しており、複数の小反射面２１ａの夫々は、多角錐形状の光反射面の各側面を構成している。
【００２６】
換言すると、小反射面２１ａの夫々は、灯具ユニット１の中心軸Ｃ上の所定の位置を共通の頂点Ｐとすると共に互いの頂角が等しい二等辺三角形を呈しており、夫々の二等辺三角形の底辺の外側近傍に突出部挿通孔２２が位置している。
【００２７】
本実施形態では、光源２の数を６個としているが、必ずしも、光源２の数は６個に限られるものではない。本実施形態では、光源２を均等に配置し、これに対応して小反射面２１ａを正多角錐形状に配置しているが、小反射面２１ａの配置は正多角錐形状に限られるものではない。但し、上述の構成からわかるように、光源２の数が変わっても光源２の数と小反射面２１ａの数は同一である。また、多角錐形状の小反射面２１ａの集合体に対して、任意の他の平面、曲面、立体形状などを付加することを妨げない。
【００２８】
アウターレンズ３０は透光性材料、具体的には、例えばポリカーボネート樹脂等の透光性樹脂で形成され、リフレクタ２０の直前領域はレンズカットが施されていない素通しの意匠面部３１となっている。
【００２９】
意匠面部３１は、光源２からの出射光が透過して外部に出射される領域であり、全面に亘って均一な肉厚で形成されると共に、出射光の出射方向（前方）に凸状に湾曲した湾曲形状を呈している。
【００３０】
アウターレンズ３０の意匠面部３１とリフレクタ２０の各小反射面２１ａとは、所定の間隔の空間（間隔空間）３を置いて互いに並設された状態にある。この間隔空間３、後述する光路の説明において、小反射面２１ａと意匠面部３１との間を通る光の伝播空間となるものである。
【００３１】
次に、光源２、インナーレンズ１０、リフレクタ２０及びアウターレンズ３０で構成された光学系を備えた上記構成からなる灯具ユニット１について、光源２からの出射光がアウターレンズ３０を透過して外部に出射されるまでの光路形成について説明する。
【００３２】
まず、図３（光源からの出射光の光路説明図）にあるように、光源２から出射した所定の指向特性を有する光Ｌ１は、直前に位置する、インナーレンズ１０のレンズ部１２の凹部１４のレンズカットが施された内底面１４ａに照射されて該内底面１４ａで屈折されて突出部１３に入射し、該突出部１３内を導光されて外前面１３ａで再度屈折され、所望の指向特性に変換されてインナーレンズ１０のレンズ部１２からアウターレンズ３０の意匠面部３１に向けて出射される。
【００３３】
インナーレンズ１０のレンズ部１２から出射した、所望の指向特性に変換された光Ｌ２は、リフレクタ２０の各小反射面２１ａとアウターレンズ３０の意匠面部３１との間に位置する間隔空間（光伝播空間）３を伝播されてアウターレンズ３０の意匠面部３１の内面３１ａに至り、その一部は内面３１ａから直接アウターレンズ３０に入射してアウターレンズ３０内を導光（透過）されて外面３１ｂから外部出射光Ｌ３Ｄとしてアウターレンズ３０外に出射される。
【００３４】
同様に、インナーレンズ１０のレンズ部１２からアウターレンズ３０の意匠面部３１の内面３１ａに至った光Ｌ２の一部は、意匠面部３１の内面３１ａで反射（内部反射）されてその反射光Ｌ３Ｒがリフレクタ２０の、光源２に近接する小反射面２１ａに向かい、小反射面２１ａでアウターレンズ３０の意匠面部３１に向けて反射されてその反射光Ｌ４Ｒが間隔空間（光伝播空間）３を伝播されてアウターレンズ３０の意匠面部３１の内面３１ａに至り、内面３１ａからアウターレンズ３０に入射してアウターレンズ３０内を導光（透過）されて外面３１ｂから外部出射光Ｌ５Ｒとしてアウターレンズ３０外に出射される。
【００３５】
この場合、図４（小反射面とアウターレンズの関係を示す説明図）にあるように、光源２からの出射光が、インナーレンズ１０のレンズ部１２内を導光されて光伝播空間３を伝播されてアウターレンズ３０の意匠面部３１の内面３１ａに到達した到達点Ｑにおける、該到達点Ｑを通って灯具ユニット１の中心軸Ｃの方向に向かう、アウターレンズ湾曲との接線αと、アウターレンズ３０の内面３１ａで反射されて光伝播空間３を伝播されて、光源２に近接する小反射面２１ａに到達した到達点Ｓにおける、該到達点Ｓを通って小反射面２１ａ上を灯具ユニット１の中心軸Ｃの方向に向かう直線βとのなす角度θが、０°≦θ＜１５°の範囲にあるのが好ましい。角度θが０°≦θ＜１５°の範囲であり、且つ、光源２の出射光がアウターレンズ３０の内面３１ａに対して斜め方向から到達することにより、光源２からの出射光をアウターレンズ３０を介して外部に出射することができる。
【００３６】
特に図５（小反射面とアウターレンズの関係を示す説明図）にあるように、角度θ＝０°、つまり、アウターレンズ３０の意匠面部３１の内面３１ａのＱの位置における接線αと小反射面２１ａに含まれる直線βを平行とし、且つ  光源２から光軸Ｘ上に出射した光が、インナーレンズ１０のレンズ部１２内を導光されてアウターレンズ３０の意匠面部３１の内面３１ａで反射されて光源２に近接する小反射面２１ａの頂点Ｐ近傍に到達するように、光軸Ｘの垂直面Ｅに対する直線βの角度γを適宜な角度に設定することのより、光源２から光軸Ｘ上に出射した光は、灯具ユニット１の中心軸Ｃ上を進むことになる。
【００３７】
同時に図６（光源からの出射光の光路説明図）にあるように、光源２の指向特性に対応して、光源２から出射してアウターレンズ３０の意匠面部３１の内面３１ａに到達した光の少なくとも照射範囲Ｄの曲率半径Ｒを適宜な値に設定することにより、光源２から出射してアウターレンズ３０の意匠面部３１の内面３１ａ及びリフレクタ２０の光反射面２１を構成する小反射面２１ａで反射された光Ｌ５Ｒの全体が、灯具ユニット１の中心軸Ｃ上を進むことになる。
【００３８】
これにより、夫々の小反射面２１ａで反射されてアウターレンズ３０を介して外部に出射される反射光Ｌ５Ｒは、夫々の光源２から出射して反射することなくそのままインナーレンズ１０のレンズ部１２及びアウターレンズ３０の意匠面部３１を透過した光Ｌ３Ｐによる光源２の実像２ａに対して、近接する光源２の、灯具ユニット１の前方に向く光出射面２ｃを、小反射面２１ａと相似形の二等辺三角形で切り取った形状の、光源２の虚像２ｂを構成する小虚像２ｂａを形成する。
【００３９】
したがって、光源２が点灯した灯具ユニット１を光の出射方向の前方から見ると、図７（光源点灯時の灯具ユニットの正面図）にあるように、夫々の光源２から出射して反射することなくそのままインナーレンズ１０のレンズ部１２及びアウターレンズ３０の意匠面部３１を透過した光による光源２の実像２ａが同心円上に等間隔で視認され、夫々の光源２から出射してアウターレンズ３０の意匠面部３１の内面３１ａ及びリフレクタ２０の小反射面２１ａによる２回の反射を経た光による光源２の虚像２ｂが中央部に実像２ａと同一の形状で視認される。
【００４０】
この場合、灯具ユニット１の中央部に視認される光源２の虚像２ｂは、虚像２ｂを形成する、光源２から出射されてリフレクタ２０の光反射面２１を構成する各小反射面２１ａで反射された反射光が灯具ユニット１の中心軸Ｃに沿って外部に出射されるため、灯具ユニット１からの視認距離に無関係にどの距離からも視認することができる。光源２の実像２ａについても同様に、灯具ユニット１からの視認距離に無関係にどの距離からも視認できるようにすることは可能である。
【００４１】
上述のように、光源２から出射してアウターレンズ３０の意匠面部３１の内面３１ａ及びリフレクタ２０の光反射面２１を構成する小反射面２１ａで反射された光の全体が、灯具ユニット１の中心軸Ｃ上を進むように設定したが、このときの、光源２から出射してアウターレンズ３０の意匠面部３１の内面３１ａに到達した光Ｌ２の少なくとも照射範囲Ｄの曲率半径Ｒに対して、これよりも曲率半径が小さくなってＲａとなると、リフレクタ２０の光反射面２１を構成する小反射面２１ａで反射された反射光Ｌ１１が灯具ユニット１の中心軸Ｃの方向に向かい、中心軸Ｃ上で一旦焦点に集光した後に放射状に拡散される。一方、曲率半径が大きくなってＲｂとなると、光反射面２１を構成する小反射面２１ａで反射された反射光１１が灯具ユニット１の中心軸Ｃから離れた方向に向かい、焦点に集光することなくそのまま拡散される。曲率半径がＲのときの、小反射面２１ａで反射された反射光はＬ１０で示されており、灯具ユニット１の中心軸Ｃに沿って進んで行く（図８（アウターレンズ内面の曲率半径の説明図）参照）。
【００４２】
そのため、曲率半径Ｒａ、Ｒｂでは、光源２の虚像を灯具ユニット１の光の出射方向の前方から見ると、灯具ユニット１からの視認距離によって見え方が大きく異なり、特に、灯具ユニット１からの距離が遠くなると虚像が見えなくなり、灯具ユニット１の光学的な効果が損なわれることになる。
【００４３】
ところで、光源２の虚像２ｂの輝度を高めるためには、アウターレンズ３０の意匠面部３１の内面３１aにおける、光源２からの出射光の照射範囲の反射率を高めることで可能となる。但し、この照射範囲は、夫々の光源２から出射して反射することなくアウターレンズ３０の意匠面部３１に到達した光がそのまま透過する領域でもある。
【００４４】
そのため、その領域の反射率を高めることは、その領域から出射する出射光の輝度低下を招くことにもなる。したがって、光源２の実像と虚像の夫々の輝度を考慮しながら、透過と反射の両機能を備えた、例えば、ハーフミラーのような透過反射部材を設けることが有効となる。
【００４５】
透過反射部材４の具体的な配設方法は、図９（透過反射部材を配設した灯具ユニットの説明図）のように、アウターレンズ３０の意匠面部３１の内面３１ａの、光源２の光軸Ｘとの交点を含む光源２の出射光の照射範囲Ｄを含むように配設する。この場合、透過反射部材４は、各光源２による照射範囲Ｄに個別に配設する方法と、各光源２による照射範囲Ｄを結ぶように環状に配設することも可能である。
【００４６】
なお、光源２の虚像２ｂの輝度を高めることは、虚像２ｂと実像２ａとの輝度の比率を変えることでもある。
【００４７】
また、光源２の虚像２ｂの大きさを変えるには、アウターレンズ３０の意匠面部３１の内面３１ａに到達する光の指向特性を制御することで可能となる。具体的には、アウターレンズ３０の意匠面部３１の内面３１ａに到達する光の指向性を広げることにより大きな虚像２ｂが得られ、指向性を狭めることにより小さな虚像２ｂを得ることができる。
【００４８】
以上説明したように、上記構成の灯具ユニットは、光源がインナーレンズで覆われているため、光源の非点灯時に光源自体が見えることがなく、非点灯時の見栄えを損なうことがない。
【００４９】
なお、光源２からの出射光の指向特性を所望の指向特性に変換する必要がない場合は、指向特性を制御するためのインナーレンズは不要である。そのため、灯具ユニットの構成が簡素化されて製造コストの低コスト化を図ることができる。
【００５０】
上記光学系からわかるように、光源に、例えばＬＥＤのような、電球や放電ランプ等に比べて出射光の指向性が狭い光源を用いたのは、指向性が広い光源を用いると虚像がぼやけて光源の輪郭が明瞭に形成されないためである。
【００５１】
インナーレンズの有無に係わらず本願発明の灯具ユニットは、光反射面が単純な構成からなり、光源の点灯時には前記光反射面で反射された反射光による虚像が形成されて光源と共に視認されることで照明機能と光演出機能を発揮し、光源の非点灯時には該光源自体が多方向から見えることがないために良好な見栄えを得ることができる灯具ユニットが実現する。
【符号の説明】
【００５２】
１…  灯具ユニット
２…  光源
２ａ…  実像
２ｂ…  虚像
２ｂａ…  小虚像
２ｃ…  光出射面
３…  間隔空間（光伝播空間）
４…  透過反射部材
１０…  インナーレンズ
１１…  基板部
１２…  レンズ部
１３…  突出部
１３ａ…  外前面
１４…  凹部
１４ａ…  内底面
２０…  リフレクタ
２１…  光反射面
２１ａ…  小反射面
２２…  突出部挿通孔
３０…  アウターレンズ
３１…  意匠面部
３１ａ…  内面
３１ｂ…  外面
【図１】
2015153613.tif 000003
【図２】
2015153613.tif 000004
【図３】
2015153613.tif 000005
【図４】
2015153613.tif 000006
【図５】
2015153613.tif 000007
【図６】
2015153613.tif 000008
【図７】
2015153613.tif 000009
【図８】
2015153613.tif 000010
【図９】
2015153613.tif 000011
【図１０】
2015153613.tif 000012